(57)【要約】【課題】固定ハウジングと可動ハウジングとを備えたフローティング型を成すものとして構成され、その全体についての小型化、取り分け、全体の長手方向における小型化を効果的に図ることができるコネクタ装置を提供する。【解決手段】配線基板１２に配される固定ハウジング１３と、固定ハウジング１３に対して揺動可能とされた可動ハウジング１５と、可動ハウジング１５を固定ハウジング１３に対して揺動可能に支持する複数の弾性コンタクト１７と、固定ハウジング１３の配線基板１２への取付けに供される取付金具１８Ａ，１８Ｂとを備え、取付金具１８Ａ，１８Ｂの夫々が、固定ハウジング１３の長手方向の端部において、可動ハウジング１５の突出部３１が配された固定ハウジング１３が成す枠状体の内側に臨む板状部２４と、板状部２４から伸びて配線基板１２に連結される一対の腕状部２５とを有する。【選択図】図１
2020027750.tif 000002
【特許請求の範囲】
【請求項１】
各々が所定の長手方向をもって伸びて相互対向する第１及び第２の側壁部と該第１及び第２の側壁部の夫々の長手方向の一端を相互連結する第１の連結部及び上記第１及び第２の側壁部の夫々の長手方向の他端を相互連結する第２の連結部とを有した枠状体を成すものとして配線基板の面に配される固定ハウジングと、
相手方コネクタ装置の嵌合部が挿入される開口部が設けられていて、上記固定ハウジングが成す枠状体の内側において上記第１及び第２の側壁部の間に配される突出部を有した可動ハウジングと、
上記相手方コネクタ装置の嵌合部との電気的接続状態をとるとともに、各々の一端部が上記固定ハウジングに固定されて他端部が上記固定ハウジングが成す枠状体の内側に配された上記可動ハウジングの突出部に固定されたもとで、上記固定ハウジングの第１及び第２の側壁部の各々の長手方向に沿って配列配置され、上記固定ハウジングが成す枠状体の内側に配された上記突出部を有する上記可動ハウジングを上記固定ハウジングに対して揺動可能に支持する複数の弾性コンタクトと、
上記第１及び第２の側壁部の夫々の長手方向の一端及び他端に夫々係合して配され、上記固定ハウジングの上記配線基板の面への取付けに供される第１及び第２の取付金具と、
を具えて構成され、
上記第１及び第２の取付金具の夫々が、上記固定ハウジングの第１及び第２の側壁部の夫々の長手方向の一端もしくは他端を直接的に相互連結して上記固定ハウジングが成す枠状体の内側に臨む板状部と、該板状部の両端から伸びて上記配線基板の面に連結される一対の腕状部とを有して形成され、
上記第１及び第２の取付金具の夫々の板状部が、上記固定ハウジングが成す枠状体の内側において上記可動ハウジングの突出部が上記固定ハウジングの第１及び第２の側壁部の夫々の長手方向に沿う方向の変位を生じたとき、上記可動ハウジングの突出部の当接を直接的に受けて該可動ハウジングの突出部の変位を規制すること、
を特徴とするコネクタ装置。
【請求項２】
上記複数の弾性コンタクトの夫々における上記固定ハウジングに固定された一端部に、上記配線基板の面に配された端子部に接続される基板接続部が設けられるとともに、上記複数の弾性コンタクトの夫々における上記可動ハウジングの突出部に固定された他端部に、上記可動ハウジングに設けられた開口部に挿入された相手方コネクタ装置の嵌合部に配された相手方コンタクトが接触接続される接触接続部が設けられたことを特徴とする請求項１記載のコネクタ装置。
【請求項３】
上記第１の取付金具の板状部が、上記配線基板の面に直交する方向において上記固定ハウジングの第１の連結部に隣接する状態をもって配されて、上記第１及び第２の側壁部の夫々の長手方向の一端を直接的に相互連結し、上記第２の取付金具の板状部が、上記配線基板の面に直交する方向において上記固定ハウジングの第２の連結部に隣接する状態をもって配されて、上記第１及び第２の側壁部の夫々の長手方向の他端を直接的に相互連結することを特徴とする請求項１記載のコネクタ装置。
【請求項４】
上記固定ハウジングの第１の連結部及び上記第１の取付金具の板状部の夫々が、上記配線基板の面に沿う方向に伸びる部材を成すとともに、上記固定ハウジングの第２の連結部及び上記第２の取付金具の板状部の夫々が、上記配線基板の面に沿う方向に伸びる部材を成すことを特徴とする請求項３記載のコネクタ装置。
【請求項５】
上記第１及び第２の取付金具の各々における上記板状部の上記固定ハウジングの第１及び第２の側壁部の夫々の長手方向に沿う方向における厚み寸法が、上記固定ハウジングの第１及び第２の連結部の各々の上記固定ハウジングの第１及び第２の側壁部の夫々の長手方向に沿う方向における厚み寸法以下に選定されることを特徴とする請求項４記載のコネクタ装置。
【発明の詳細な説明】
【技術分野】
【０００１】
本願の特許請求の範囲に記載された発明は、配線基板に固定される固定ハウジングと、相手方コネクタ装置の嵌合部が挿入される開口部が設けられて固定ハウジングに対して揺動可能に支持される可動ハウジングと、各々が固定ハウジング及び可動ハウジングの両者に係合する複数の弾性コンタクトとを備えたコネクタ装置に関する。
【背景技術】
【０００２】
比較的小型な電子機器においても、種々の電子部品が多数内蔵されるが、それら電子部品の多くは複数の配線基板に実装されて、各々の機能を果たすものとされる。各種の電子部品が実装された複数の配線基板は、例えば、それらのうちの二つについて見ると、比較的小型な電子機器の内部という限られたスペースに収容されるにあたって占有容積をできるだけ小とすべく、一方が他方に対面近接して重ね合わせられる配置をとって、両者の夫々に設けられた配線端子部が電気的に相互接続されるものとされる。このような二つの配線基板の夫々に設けられた配線端子部を電気的に相互接続するための、二つの配線基板のうちの一方が他方に対面近接して重ね合わせられて行われる連結態様を、以下においては対面近接重ね合わせ連結ということとする。
【０００３】
一般に、複数の配線基板の相互連結は、各配線基板にコネクタ装置が取り付けられ、それらコネクタ装置が相互嵌合せしめられることにより行われることが多く、二つの配線基板についての対面近接重ね合わせ連結を行う場合においても、各配線基板に取り付けられるコネクタ装置が用いられる。このようなもとで、二つの配線基板の一方に取り付けられた第１のコネクタ装置に二つの配線基板の他方に取り付けられた第２のコネクタ装置を嵌合させるにあたり、第１のコネクタ装置に対する第２のコネクタ装置の微細な位置ずれを吸収するため、第２のコネクタ装置との嵌合部分を可動にした第１のコネクタ装置が、所謂、フローティング型コネクタ装置として従来提案されている（例えば、特許文献１参照。）。
【０００４】
特許文献１に示されるフローティング型コネクタ装置（フローティング型コネクタ（レセプタクルコネクタ(1))）は、絶縁材料で形成されて、配線基板（基板(90)) に固定される固定ハウジング（固定側ハウジング(10)) と、絶縁材料で形成されて、相手方コネクタ装置（相手方コネクタ（プラグコネクタ(70)))が挿入される開口部（受容凹部(23)) を有し、固定ハウジングに対して揺動可能とされた可動ハウジング（可動側ハウジング(20)) と、各々が固定ハウジング及び可動ハウジングの双方に係合して、可動ハウジングを固定ハウジングに対して揺動可能に支持する複数の弾性コンタクト（信号用コンタクト(30)) と、固定ハウジングの配線基板への取付けに供される取付金具（固定金具(50)) とを備えて構成されている。
【０００５】
そして、固定ハウジングは、複数の弾性コンタクトが各々の内面側に配列配置されるものとされて相互対向して伸びる第１及び第２の側壁部（左右壁(11)) と、第１及び第２の側壁部の夫々の一端部をその高さ方向の全体に亙って相互連結する第１の連結部と、第１及び第２の側壁部の夫々の他端部をその高さ方向の全体に亙って相互連結して第１の連結部に対向する第２の連結部とを有していて、相互対向する第１及び第２の側壁部と相互対向する第１及び第２の連結部とによって、内部空間(12)を形成する矩形枠状体を成している。複数の弾性コンタクトが内面側に配列配置された第１及び第２の側壁部の夫々は、固定ハウジングの長手方向に沿って伸びており、それゆえ、複数の弾性コンタクトは固定ハウジングの長手方向に沿って配列配置されていることになる。また、第１及び第２の連結部の夫々は、固定ハウジングの長手方向に直交する方向に沿って伸びている。
【０００６】
一方、可動ハウジングは、固定ハウジングが成す矩形枠状体と同様な矩形枠状体を成す平板状の基部(21)とこの基部(21)から突出する矩形枠状体を成す突出部(22)とを有しており、基部(21)が、固定ハウジングが成す矩形枠状体に重ねられて配されるもとで、基部(21)から突出する矩形枠状体を成す突出部(22)が、固定ハウジングが形成する内部空間(12)内に配される。（以下、矩形枠状体を成す基部(21)及び突出部(22)の夫々における固定ハウジングの第１及び第２の側壁部に夫々対応する一対の部分の各々を長辺部といい、矩形枠状体を成す基部(21)及び突出部(22)の夫々における固定ハウジングの第１及び第２の連結部に夫々対応する一対の部分の各々を短辺部という。）そして、複数の弾性コンタクトの夫々は、その一端部が固定ハウジングの第１の側壁部または第２の側壁部に固定されるとともに、その他端部が可動ハウジングの突出部(22)の内壁面部に固定されて、固定ハウジングと可動ハウジングとの両者に係合するものとされており、斯かる複数の弾性コンタクトは、固定ハウジングの第１の側壁部または第２の側壁部に沿って配列配置されていて、各々の弾性をもって、固定ハウジングが形成する内部空間(12)内に突出部(22)が配された可動ハウジングを、固定ハウジングに対して揺動可能に支持している。
【０００７】
さらに、一対の取付金具は、固定ハウジングの長手方向の両端部を夫々形成する第１及び第２の連結部の夫々に圧入によって固定されたもとで、固定ハウジングの配線基板への取付けに用いられる。
【０００８】
上述のようにして、配線基板に固定された固定ハウジングが形成する内部空間(12)内に可動ハウジングの矩形枠状体を成す突出部(22)が配されて、複数の弾性コンタクトにより可動ハウジングが固定ハウジングに対して揺動可能に支持されたもとにあっては、固定ハウジングが形成する内部空間(12)内において、可動ハウジングの突出部(22)における一対の長辺部が固定ハウジングにおける内部空間(12)を形成する相互対向する第１及び第２の側壁部に夫々対接するものとされるとともに、可動ハウジングの突出部(22)における一対の短辺部が固定ハウジングにおける内部空間(12)を形成する相互対向する第１及び第２の連結部に夫々対接するものとされる。そして、例えば、可動ハウジングの突出部(22)が、固定ハウジングが形成する内部空間(12)内において、配線基板に沿って複数の弾性コンタクトの配列方向である固定ハウジングの長手方向に移動したときには、可動ハウジングの突出部(22)における短辺部の外面が、固定ハウジングの第１の連結部または第２の連結部の内面に当接して、その移動が規制されることになる。
【先行技術文献】
【特許文献】
【０００９】
【特許文献１】特開２００７−２２０３２７号公報
【発明の概要】
【発明が解決しようとする課題】
【００１０】
上述のような、従来提案されているフローティング型コネクタ装置にあっては、次のような不都合が見られる。
【００１１】
即ち、特許文献１に示されるフローティング型コネクタ装置にあっては、固定ハウジングとそれに対して揺動可能とされる可動ハウジングとを備え、配線基板に固定された固定ハウジングが形成する内部空間(12)内に可動ハウジングの突出部(22)が配されて、複数の弾性コンタクトにより可動ハウジングが固定ハウジングに対して揺動可能に支持されたもとにあって、可動ハウジングの突出部(22)が、固定ハウジングが形成する内部空間(12)内において、配線基板に沿って固定ハウジングの長手方向（複数の弾性コンタクトの配列方向）に移動したときには、可動ハウジングの突出部(22)における短辺部の外面が、固定ハウジングの第１の連結部または第２の連結部の内面に当接して、その移動が規制される。そのため、複数の弾性コンタクトの配列方向である固定ハウジングの長手方向についてみると、可動ハウジングの突出部(22)における一対の短辺部のうちの一方の外側に固定ハウジングにおける内部空間(12)を形成する第１の連結部が配されているとともに、可動ハウジングの突出部(22)における一対の短辺部のうちの他方の外側に固定ハウジングにおける内部空間(12)を形成する第２の連結部が配されていることになる。換言すれば、固定ハウジングの長手方向において、可動ハウジングの突出部(22)における一対の短辺部のうちの一方が固定ハウジングにおける第１の連結部に対して当接可能に近接配置されるとともに、可動ハウジングの突出部(22)における一対の短辺部のうちの他方が固定ハウジングにおける第２の連結部に対して当接可能に近接配置されているのである。
【００１２】
このようなもとで、可動ハウジングの突出部(22)における一対の短辺部及び固定ハウジングにおける内部空間(12)を形成する第１及び第２の連結部の夫々は、絶縁材料で形成された固定ハウジングの一部であり、例えば、取付金具（固定金具(50)) と比較すると、比較的大なる厚みを有するものとされる。それゆえ、上述のように、複数の弾性コンタクトの配列方向である固定ハウジングの長手方向において、可動ハウジングの突出部(22)における一対の短辺部のうちの一方が固定ハウジングにおける第１の連結部に対して当接可能に近接配置されるとともに、可動ハウジングの突出部(22)における一対の短辺部のうちの他方が固定ハウジングにおける第２の連結部に対して当接可能に近接配置されている構成がとられているもとにあっては、可動ハウジングの突出部(22)における一対の短辺部のうちの一方の厚みと固定定ハウジングにおける第１の連結部の厚み、及び、可動ハウジングの突出部(22)における一対の短辺部のうちの他方の厚みと固定定ハウジングにおける第２の連結部の厚みとによって、フローティング型コネクタ装置の固定ハウジングの長手方向における寸法の増大がまねかれ、それにより、フローティング型コネクタ装置の全体についての小型化、取り分け、その長手方向における小型化に支障が来されることになってしまう。
【００１３】
斯かる点に鑑み、本願の特許請求の範囲に記載された発明は、配線基板に配される固定ハウジングと、相手方コネクタ装置が挿入される開口部を有し、固定ハウジングに対して揺動可能とされた可動ハウジングと、各々が固定ハウジング及び可動ハウジングの双方に係合して、可動ハウジングを固定ハウジングに対して揺動可能に支持する複数の弾性コンタクトと、固定ハウジングの配線基板への取付けに供される取付金具とを備えて、フローティング型を成すものとして構成され、その全体についての小型化、取り分け、全体の長手方向における小型化を効果的に図ることができるコネクタ装置を提供する。
【課題を解決するための手段】
【００１４】
本願の特許請求の範囲における請求項１から請求項５までのいずれかに記載された発明（以下、本願発明という。）に係るコネクタ装置は、各々が所定の長手方向をもって伸びて相互対向する第１及び第２の側壁部と第１及び第２の側壁部の夫々の長手方向の一端を相互連結する第１の連結部及び第１及び第２の側壁部の夫々の長手方向の他端を相互連結する第２の連結部とを有した枠状体を成すものとして配線基板の面に配される固定ハウジングと、相手方コネクタ装置の嵌合部が挿入される開口部が設けられていて、固定ハウジングが成す枠状体の内側において第１及び第２の側壁部の間に配される突出部を有した可動ハウジングと、相手方コネクタ装置の嵌合部との電気的接続状態をとるとともに、各々の一端部が固定ハウジングに固定されて他端部が固定ハウジングが成す枠状体の内側に配された可動ハウジングの突出部に固定されたもとで、固定ハウジングの第１及び第２の側壁部の夫々の長手方向に沿って配列配置され、固定ハウジングが成す枠状体の内側に配された突出部を有する可動ハウジングを固定ハウジングに対して揺動可能に支持する複数の弾性コンタクトと、第１及び第２の側壁部の夫々の長手方向の一端及び他端に夫々係合して配され、固定ハウジングの配線基板の面への取付けに供される第１及び第２の取付金具と、を備えて構成される。そして、このような本願発明に係るコネクタ装置においては、第１及び第２の取付金具の夫々が、固定ハウジングの第１及び第２の側壁部の夫々の長手方向の一端もしくは他端を直接的に相互連結して固定ハウジングが成す枠状体の内側に臨む板状部と、板状部の両端から伸びて配線基板の面に連結される一対の腕状部とを有して形成され、第１及び第２の取付金具の夫々の板状部が、固定ハウジングが成す枠状体の内側において可動ハウジングの突出部が固定ハウジングの第１及び第２の側壁部の夫々の長手方向に沿う方向の変位を生じたとき、可動ハウジングの突出部の当接を直接的に受けて可動ハウジングの突出部の変位を規制するものとされる。
【００１５】
特に、本願の特許請求の範囲における請求項３に記載された本願発明に係るコネクタ装置にあっては、第１の取付金具の板状部が、配線基板の面に直交する方向において固定ハウジングの第１の連結部に隣接する状態をもって配されて、固定ハウジングの第１及び第２の側壁部の夫々の長手方向の一端を直接的に相互連結し、第２の取付金具の板状部が、配線基板の面に直交する方向において固定ハウジングの第２の連結部に隣接する状態をもって配されて、固定ハウジングの第１及び第２の側壁部の夫々の長手方向の他端を直接的に相互連結するものとされる。
【００１６】
上述のような本願発明に係るコネクタ装置にあっては、固定ハウジングが配線基板の面に第１及び第２の取付金具によって取り付けられ、相手方コネクタ装置の嵌合部が挿入される開口部が設けられた可動ハウジングが、固定ハウジングが成す枠状体の内側において固定ハウジングの第１及び第２の側壁部の間に突出部が配された状態をもって、複数の弾性コンタクトによって固定ハウジングに対して揺動可能に支持されたものとされる。複数の弾性コンタクトは、各々の一端部が固定ハウジングに固定されるとともに他端部が固定ハウジングが成す枠状体の内側に配された可動ハウジングの突出部に固定されて、固定ハウジングの第１及び第２の側壁部の夫々の長手方向に沿って配列配置されている。また、第１及び第２の取付金具は、一方が、固定ハウジングの第１及び第２の側壁部の夫々の長手方向の一端に係合して配されるとともに、他方が固定ハウジングの第１及び第２の側壁部の夫々の長手方向の他端に係合して配されている。
【００１７】
そして、第１及び第２の取付金具の夫々が、固定ハウジングの第１及び第２の側壁部の夫々の長手方向の一端もしくは他端を直接的に相互連結して固定ハウジングが成す枠状体の内側に臨む板状部と、板状部の両端から伸びて配線基板に連結される一対の腕状部とを有して形成されている。このようなもとで、例えば、可動ハウジングに設けられた開口部に相手方コネクタ装置の嵌合部が挿入され、それに伴って、固定ハウジングが成す枠状体の内側において、可動ハウジングの突出部が固定ハウジングの第１及び第２の側壁部の夫々の長手方向に沿う方向の変位を生じたときには、第１及び第２の取付金具の夫々の板状部が、可動ハウジングの突出部の当接を直接的に受けて可動ハウジングの突出部の変位を規制するものとされる。
【００１８】
それにより、本願発明に係るコネクタ装置は、それに対する相手方コネクタ装置の位置ずれを吸収できるフローティング型コネクタ装置として機能し、可動ハウジングの突出部の固定ハウジングに対するその第１及び第２の側壁部の夫々の長手方向に沿う方向の変位を、第１及び第２の取付金具の夫々の板状部が可動ハウジングの突出部の当接を直接的に受けることにより適正に規制することができるものとされていることになる。なお、固定ハウジングの第１及び第２の側壁部の夫々の長手方向は、複数の弾性コンタクトの配列方向と一致している。
【００１９】
特に、本願の特許請求の範囲における請求項３に記載された本願発明に係るコネクタ装置の場合には、第１の取付金具の板状部が、配線基板の面に直交する方向において固定ハウジングの第１の連結部に隣接する状態をもって配されて、固定ハウジングの第１及び第２の側壁部の夫々の長手方向の一端を直接的に相互連結し、第２の取付金具の板状部が、配線基板の面に直交する方向において固定ハウジングの第２の連結部に隣接する状態をもって配されて、固定ハウジングの第１及び第２の側壁部の夫々の長手方向の他端を直接的に相互連結するものとされる。それにより、固定ハウジングの第１及び第２の側壁部の夫々の長手方向に沿う方向において、固定ハウジングの第１の連結部と第１の取付金具の板状部とが各々の厚み方向に重なって隣接配置されることがなく、また、固定ハウジングの第２の連結部と第２の取付金具の板状部とが各々の厚み方向に重なって隣接配置されることがないことになる。
【発明の効果】
【００２０】
本願発明に係るコネクタ装置にあっては、第１の取付金具が固定ハウジングの第１及び第２の側壁部の夫々の長手方向の一端に係合して配されるとともに、第２の取付金具が固定ハウジングの第１及び第２の側壁部の夫々の長手方向の他端に係合して配されたもとにおいて、第１及び第２の取付金具の夫々が、固定ハウジングの第１及び第２の側壁部の夫々の長手方向の一端もしくは他端を直接的に相互連結して固定ハウジングが成す枠状体の内側に臨む板状部を有していて、固定ハウジングが成す枠状体の内側において、可動ハウジングの突出部が固定ハウジングの第１及び第２の側壁部の夫々の長手方向に沿う方向の変位を生じたときには、第１及び第２の取付金具の夫々の板状部が、可動ハウジングの突出部の当接を直接的に受けて可動ハウジングの突出部の変位を規制するものとされる。それゆえ、固定ハウジングが成す枠状体の内側における可動ハウジングの突出部の固定ハウジングの第１及び第２の側壁部の夫々の長手方向に沿う方向の変位を規制するにあたり、固定ハウジングに、その第１及び第２の側壁部の夫々の長手方向の一端及び他端において相互対向するものとして夫々配されて、可動ハウジングの突出部の当接を受けて可動ハウジングの突出部の変位を規制するための部分を設けることが要されず、斯かる固定ハウジングの部分より厚み寸法が小である第１及び第２の取付金具の夫々の板状部を配することで足り、それに伴って、固定ハウジンにおけるその第１及び第２の側壁部の夫々の長手方向における寸法を短縮することができる。このような固定ハウジンにおけるその第１及び第２の側壁部の夫々の長手方向における寸法の短縮は、斯かる固定ハウジングを備えたコネクタ装置全体のその長手方向の寸法の低減をもたらし、コネクタ装置全体についての小型化、取り分け、全体の長手方向における小型化を効果的に図ることができることになる。
【００２１】
さらに、本願の特許請求の範囲における請求項３に記載された本願発明に係るコネクタ装置の場合にあっては、固定ハウジングの第１及び第２の側壁部の夫々の長手方向に沿う方向において、固定ハウジングの第１の連結部と第１の取付金具の板状部とが各々の厚み方向に重なって隣接配置されることがなく、また、固定ハウジングの第２の連結部と第２の取付金具の板状部とが各々の厚み方向に重なって隣接配置されることがないものとされるので、コネクタ装置全体についての小型化、取り分け、全体の長手方向における小型化を、より一層効果的に図ることができることになる。
【図面の簡単な説明】
【００２２】
【図１】本願発明に係るコネクタ装置の一例を構成するリセプタクルコネクタを、それが装着された配線基板と共に示す斜視図である。
【図２】本願発明に係るコネクタ装置の一例を構成するリセプタクルコネクタが備える固定ハウジングの一例を示す斜視図である。
【図３】本願発明に係るコネクタ装置の一例を構成するリセプタクルコネクタが備える一対の取付金具の一例のうちの一方を示す斜視図である。
【図４】図２に示される固定ハウジングに図３に示される取付金具を含む一対の取付金具が組付けられた状態を示す斜視図である。
【図５】本願発明に係るコネクタ装置の一例を構成するリセプタクルコネクタが備える可動ハウジングを示す斜視図である。
【図６】本願発明に係るコネクタ装置の一例を構成するリセプタクルコネクタが備える固定ハウジングの他の例を示す斜視図である。
【図７】本願発明に係るコネクタ装置の一例を構成するリセプタクルコネクタが備える一対の取付金具の他の例のうちの一方を示す斜視図である。
【図８】図６に示される固定ハウジングに図７に示される取付金具を含む一対の取付金具が組付けられた状態を示す斜視図である。
【図９】本願発明に係るコネクタ装置の一例を構成するリセプタクルコネクタに嵌合連結される相手方コネクタ装置の一例を構成するプラグコネクタを、それが装着された配線基板と共に示す斜視図である。
【図１０】図４に示される固定ハウジング及び取付金具を備えた本願発明に係るコネクタ装置の一例を構成するリセプタクルコネクタに、図９に示される相手方コネクタ装置の一例を構成するプラグコネクタが嵌合連結された状態を、プラグコネクタが装着された配線基板を省略して示す斜視図である。
【図１１】図４に示される固定ハウジング及び取付金具を備えた本願発明に係るコネクタ装置の一例を構成するリセプタクルコネクタに、図９に示される相手方コネクタ装置の一例を構成するプラグコネクタが嵌合連結された状態を、リセプタクルコネクタが装着された配線基板及びプラグコネクタが装着された配線基板を省略して示す側面図である。
【図１２】図４に示される固定ハウジング及び取付金具を備えた本願発明に係るコネクタ装置の一例を構成するリセプタクルコネクタに、図９に示される相手方コネクタ装置の一例を構成するプラグコネクタが嵌合連結された状態を、リセプタクルコネクタが装着された配線基板及びプラグコネクタが装着された配線基板を省略して示す正面図である。
【図１３】図１１におけるXIII−XIII線断面を示す断面図である。
【図１４】図１２における XIV−XIV 線断面を示す断面図である。
【図１５】図８に示される固定ハウジング及び取付金具を備えた本願発明に係るコネクタ装置の一例を構成するリセプタクルコネクタに、図９に示される相手方コネクタ装置の一例を構成するプラグコネクタが嵌合連結された状態を、プラグコネクタが装着された配線基板を省略して示す斜視図である。
【発明を実施するための形態】
【００２３】
本願発明を実施するための形態は、以下に述べられる本願発明に係るコネクタ装置ついての実施例をもって説明される。
【実施例】
【００２４】
図１は、本願発明に係るコネクタ装置の一例を構成するリセプタクルコネクタ１１及びリセプタクルコネクタ１１が取り付けられた配線基板１２（第１の配線基板）を示す。リセプタクルコネクタ１１は、配線基板１２の面１２ａに配される固定ハウジングの一例を成す固定ハウジング１３と、後述される相手方コネクタ装置の嵌合部が挿入される開口部１４が設けられていて、固定ハウジング１３に対して揺動可能とされた可動ハウジング１５と、相手方コネクタ装置の嵌合部との電気的接続状態をとるとともに、可動ハウジング１５を固定ハウジング１３に対して揺動可能に支持する複数の弾性コンタクト１７と、固定ハウジング１３の配線基板１２の面１２ａへの取付けに供される第１及び第２の取付金具の一例を成す第１の取付金具１８Ａ及び第２の取付金具１８Ｂとを備えて構成されている。
【００２５】
固定ハウジング１３は、その全体が合成樹脂材等の絶縁材料で形成されており、図２に示されるように、各々が所定の長手方向をもって伸びて相互対向する第１の側壁部２０及び第２の側壁部２１と、第１の側壁部２０における長手方向の一端を成す端部２０ａ及び第２の側壁部２１における長手方向の一端を成す端部２１ａを相互連結する第１の連結部２２Ａと、第１の側壁部２０における長手方向の他端を成す端部２０ｂ及び第２の側壁部２１における長手方向の他端を成す端部２１ｂを相互連結する第２の連結部２２Ｂとを有した枠状体を成すものとされている。第１の側壁部２０の内壁面部には、複数の弾性コンタクト１７が夫々配される溝部２３が設けられており、第２の側壁部２１の内壁面部にも、複数の弾性コンタクト１７が夫々配される溝部が設けられている。また、第１の連結部２２Ａ及び第２の連結部２２Ｂの夫々は、固定ハウジング１３が配線基板１２の面１２ａに配されたもとにおいて配線基板１２の面１２ａに沿う方向に伸びる部材を成すものとされている。
【００２６】
このようなもとで、固定ハウジング１３は、その全体の長手方向を第１の側壁部２０及び第２の側壁部２１の夫々の長手方向と一致させるものとされている。
【００２７】
第１の取付金具１８Ａは、金属板材に加工が施されて形成されていて、固定ハウジング１３における第１の側壁部２０の端部２０ａ及び第２の側壁部２１の端部２１ａに係合して配されており、また、第２の取付金具１８Ｂは、第１の取付金具１８Ａと同様に金属板材に加工が施されて形成されていて、固定ハウジング１３における第１の側壁部２０の端部２０ｂ及び第２の側壁部２１の端部２１ｂに係合して配されている。
【００２８】
そして、第１の取付金具１８Ａは、図３に示されるように、固定ハウジング１３の第１の側壁部２０の端部２０ａ及び第２の側壁部２１の端部２１ａを直接的に相互連結して固定ハウジング１３が成す枠状体の内側に臨むものとされる板状部２４と、板状部２４の両端から夫々伸びて配線基板１２の面１２ａに連結されるものとされる一対の腕状部２５とを有しており、一対の腕状部２５の夫々の先端部には、配線基板１２の面１２ａに、例えば、半田付けにより固定される基板固定部２５ａが設けられている。同様に、第２の取付金具１８Ｂは、その単体での図示は省略されているが、固定ハウジング１３の第１の側壁部２０の端部２０ｂ及び第２の側壁部２１の端部２１ｂを直接的に相互連結して固定ハウジング１３が成す枠状体の内側に臨むものとされる板状部２４と、板状部２４の両端から夫々伸びて配線基板１２の面１２ａに連結されるものとされる一対の腕状部２５とを有しており、一対の腕状部２５の夫々の先端部には、配線基板１２の面１２ａに、例えば、半田付けにより固定される基板固定部２５ａが設けられている。
【００２９】
このような金属板材によって形成された第１の取付金具１８Ａ及び第２の取付金具１８Ｂの夫々における板状部２４の厚み寸法は、固定ハウジング１３における第１の連結部２２Ａ及び第２の連結部２２Ｂの夫々の厚み寸法（固定ハウジング１３の長手方向の寸法）以下に選定されている。
【００３０】
図４は、図２に示される固定ハウジング１３に、図３に示される第１の取付金具１８Ａと単体での図示が省略された第２の取付金具１８Ｂとが組付けられた状態を示す。図４に示されるように、固定ハウジング１３に第１の取付金具１８Ａと第２の取付金具１８Ｂとが組付けられたもとにおいては、第１の取付金具１８Ａの板状部２４が、固定ハウジング１３が配線基板１２の面１２ａに配されたもとにおいて配線基板１２の面１２ａに沿う方向に伸びる部材を成すものとされていて、配線基板１２の面１２ａに直交する方向において、固定ハウジング１３の第１の連結部２２Ａに隣接する状態をもって配されており、また、第２の取付金具１８Ｂの板状部２４が、固定ハウジング１３が配線基板１２の面１２ａに配されたもとにおいて配線基板１２の面１２ａに沿う方向に伸びる部材を成すものとされていて、配線基板１２の面１２ａに直交する方向において、固定ハウジング１３の第２の連結部２２Ｂに隣接する状態をもって配されている。それにより、第１の取付金具１８Ａの板状部２４が固定ハウジング１３の第１の連結部２２Ａに載っている状態がとられるとともに、第２の取付金具１８Ｂの板状部２４が固定ハウジング１３の第２の連結部２２Ｂに載っている状態がとられており、固定ハウジング１３の第１の側壁部２０及び第２の側壁部２１の夫々の長手方向、即ち、固定ハウジング１３の長手方向に沿う方向において、固定ハウジング１３の第１の連結部２２Ａと第１の取付金具１８Ａの板状部２４とが各々の厚み方向に重なるものとなる事態、及び、固定ハウジング１３の第２の連結部２２Ｂと第２の取付金具１８Ｂの板状部２４とが各々の厚み方向に重なるものとなる事態が回避されている。
【００３１】
可動ハウジング１５は、その全体が合成樹脂材等の絶縁材料で形成されており、図５に示されるように、開口部１４における開口端部を形成する矩形枠状体を成す本体部３０と、本体部３０から突出する突出部３１とを有しており、突出部３１は、可動ハウジング１５が固定ハウジング１３に対して揺動可能とされたとき、固定ハウジング１３が成す枠状体の内側において固定ハウジング１３の第１の側壁部２０と第２の側壁部２１との間に配されるものとされている。開口部１４は、突出部３１をその突出方向に貫通するものとして形成されていて、それにより、突出部３１も本体部３０から伸びる枠状体をなしている。そして、突出部３１における開口部１４を形成する内壁面部には、複数の弾性コンタクト１７が夫々配される溝部３２が設けられている。
【００３２】
複数の弾性コンタクト１７は、それらの各々が、弾性金属材料をもって形成されている。そして、斯かる複数の弾性コンタクト１７は、その一端部が固定ハウジング１３の第１の側壁部２０もしくは第２の側壁部２１に設けられた溝部２３に配されて固定ハウジング１３の第１の側壁部２０もしくは第２の側壁部２１に固定されるとともに、その他端部が可動ハウジング１５の突出部３１に設けられた溝部３２に配されて可動ハウジング１５の突出部３１に固定されたもとにおいて、固定ハウジング１３の第１の側壁部２０及び第２の側壁部２１の夫々の長手方向に沿って配列配置されており、各々が具える弾性をもって、固定ハウジング１３が成す枠状体の内側に配された突出部３１を有する可動ハウジング１５を固定ハウジング１３に対して揺動可能に支持している。固定ハウジング１３の第１の側壁部２０もしくは第２の側壁部２１に固定された複数の弾性コンタクト１７の夫々の一端部には、配線基板１２の面１２ａに配された端子部に、例えば、半田付けによって接続される基板接続部１７ａ（図１）が設けられており、また、可動ハウジング１５の突出部３１に固定された複数の弾性コンタクト１７の夫々の他端部には、開口部１４に挿入された相手方コネクタ装置４１の嵌合部４５に接触して嵌合部４５との電気的接続状態におかれる接触接続部１７ｂ（図１）が設けられている。
【００３３】
図６は、本願発明に係るコネクタ装置の一例を構成するリセプタクルコネクタ１１が具える固定ハウジングの他の例を成す固定ハウジング３３を示し、図７は、固定ハウジングの配線基板１２の面１２ａへの取付けに供される第１及び第２の取付金具の他の例を成す第１の取付金具３４Ａ及び第２の取付金具３４Ｂのうちの第１の取付金具３４Ａを示す。なお、第２の取付金具３４Ｂについては、単独での図示が省略されている。
【００３４】
図６に示される固定ハウジング３３は、多くの部分が前述の図２に示される固定ハウジング１３と同様に形成されたものとされており、図６にあっては、固定ハウジング３３における固定ハウジング１３と同様に形成された部分については、図２と共通の符号が付されて示されている。
【００３５】
固定ハウジング３３における固定ハウジング１３との相違は、第１の連結部２２Ａにおける第１の側壁部２０と第２の側壁部２１との間の部分の中央部に、固定ハウジング１３には設けられていない溝部３５Ａが設けられているとともに、第２の連結部２２Ｂにおける第１の側壁部２０と第２の側壁部２１との間の部分の中央部にも、固定ハウジング１３には設けられていない溝部３５Ｂが設けられていることである。固定ハウジング３３におけるその他の部分は、固定ハウジング１３と同様である。
【００３６】
図７に示される第１の取付金具３４Ａは、多くの部分が前述の図３に示される第１の取付金具１８Ａと同様に形成されたものとされており、図７にあっては、第１の取付金具３４Ａにおける第１の取付金具１８Ａと同様に形成された部分については、図３と共通の符号が付されて示されている。
【００３７】
第１の取付金具３４Ａにおける第１の取付金具１８Ａとの相違は、板状部２４における一対の腕状部２５の間となる部分の中央部から伸びるものとされた、第１の取付金具１８Ｂには設けられていない付加腕状部３６が設けられていることである。第１の取付金具３４Ａにおけるその他の部分は、第１の取付金具１８Ａと同様である。
【００３８】
また、第２の取付金具３４Ｂも、単独での図示が省略されているが、多くの部分が前述の第２の取付金具１８Ｂと同様に形成されたものとされており、第２の取付金具３４Ｂにおける第２の取付金具１８Ｂとの相違は、板状部２４における一対の腕状部２５の間となる部分の中央部から伸びるものとされた、第２の取付金具１８Ｂには設けられていない付加腕状部３６（図７にあらわれている。）が設けられていることであって、その他の部分は、第２の取付金具１８Ｂと同様である。
【００３９】
図８は、図６に示される固定ハウジング３３に、図７に示される第１の取付金具３４Ａと第２の取付金具３４Ｂとが組付けられた状態を示す。図８に示されるように、固定ハウジング３３に第１の取付金具３４Ａと第２の取付金具３４Ｂとが組付けられたもとにおいては、第１の取付金具３４Ａの板状部２４に設けられた付加腕状部３６が、固定ハウジング３３の第１の連結部２２Ａに設けられた溝部３５Ａに圧入されていて、第１の取付金具３４Ａの固定ハウジング３３への取付けがより堅固なものとされており、また、第２の取付金具３４Ｂの板状部２４に設けられた付加腕状部３６が、固定ハウジング３３の第２の連結部２２Ｂに設けられた溝部３５Ｂに圧入されていて、第２の取付金具３４Ｂの固定ハウジング３３への取付けがより堅固なものとされている。
【００４０】
図９は、本願発明に係るコネクタ装置の一例を構成するリセプタクルコネクタ１１に嵌合連結される相手方コネクタ装置の一例を構成するプラグコネクタ４１及びプラグコネクタ４１が取り付けられた配線基板４２（第２の配線基板）を示す。プラグコネクタ４１は、配線基板４２の面４２ａに配されるハウジング４３とハウジング４３の配線基板４２の面４２ａへの取付けに供される第１の取付金具４４Ａ及び第２の取付金具４４Ｂとを備えて構成されている。ハウジング４３には、それから配線基板４２の面４２ａから離隔する方向に突出して、リセプタクルコネクタ１１の可動ハウジング１５に設けられた開口部１４に挿入されるものとされる嵌合部４５が、ハウジング４３の長手方向に沿って伸びる突起状体を成すものとされて設けられている。そして、嵌合部４５には、複数の溝部４６がハウジング４３の長手方向である嵌合部４５の長手方向に沿って配列形成されており、これら複数の溝部４６には、複数の弾性コンタクト４７が夫々部分的に配されている。それにより、複数の弾性コンタクト４７は、ハウジング４３の長手方向である嵌合部４５の長手方向に沿って配列配置されていることになる。
【００４１】
嵌合部４５に設けられた複数の溝部４６に夫々部分的に配された複数の弾性コンタクト４７の夫々は、その一端部が、溝部４６の外部に突出して配線基板４２の面４２ａに設けられた端子部に、例えば、半田付けによって接続される、基板接続部４７ａを成しており、また、その他端部が、嵌合部４５の先端部側において溝部４６の外部に臨み、嵌合部４５がリセプタクルコネクタ１１の可動ハウジング１５に設けられた開口部１４に挿入されたとき、リセプタクルコネクタ１１における弾性コンタクト１７における接触接続部１７ｂとの接触接続状態におかれる可動接触部４７ｂを成している。
【００４２】
第１の取付金具４４Ａ及び第２の取付金具４４Ｂは、ハウジング４３の長手方向における両端部に夫々係合するものとして配されており、例えば、半田付けによって配線基板４２の面４２ａに固定されて、ハウジング４３の配線基板４２の面４２ａへの取付けに供される。
【００４３】
図１０（斜視図），図１１（側面図）及び図１２（正面図）は、図４に示される固定ハウジング１３と第１の取付金具１８Ａ及び第２の取付金具１８Ｂとを備えたリセプタクルコネクタ１１に、図９に示されるプラグコネクタ４１が嵌合連結された状態を示す。ただし、図１０においては、プラグコネクタ４１が取り付けられた配線基板４２の図示が省略されており、また、図１１及び図１２の夫々においては、リセプタクルコネクタ１１が取り付けられた配線基板１２及びプラグコネクタ４１が取り付けられた配線基板４２の夫々の図示が省略されている。
【００４４】
図１０，図１１及び図１２に示されるようにリセプタクルコネクタ１１にプラグコネクタ４１が嵌合連結されたときには、プラグコネクタ４１のハウジング４３に設けられた嵌合部４５が、リセプタクルコネクタ１１における複数の弾性コンタクト１７によってリセプタクルコネクタ１１の固定ハウジング１３に対して揺動可能に支持された、リセプタクルコネクタ１１の可動ハウジング１５に設けられた開口部１４に挿入されていて、リセプタクルコネクタ１１が取り付けられた配線基板１２の面１２ａとプラグコネクタ４１が取り付けられた配線基板４２の面４２ａとが相互対向する状態におかれ、配線基板１２と配線基板４２とが、リセプタクルコネクタ１１とプラグコネクタ４１とにより、対面近接重ね合わせ連結されたものとされている。
【００４５】
斯かる状態のもとにあっては、図１１におけるXIII-XIII 線断面を示す図１３に示されるように、プラグコネクタ４１のハウジング４３に設けられた嵌合部４５が挿入されたリセプタクルコネクタ１１の可動ハウジング１５に設けられた開口部１４内において、プラグコネクタ４１のハウジング４３に設けられた嵌合部４５に配列配置された複数の弾性コンタクト４７の夫々における可動接続部４７ｂが、リセプタクルコネクタ１１に配列配置された複数の弾性コンタクト１７の夫々における可動ハウジング１５の本体部３０から突出して開口部１４を形成する突出部３１に固定された接触接続部１７ｂに接触接続される。それにより、リセプタクルコネクタ１１に配列配置された複数の弾性コンタクト１７の夫々における接触接続部１７ｂが、リセプタクルコネクタ１１の可動ハウジング１５に設けられた開口部１４に挿入されたプラグコネクタ４１に設けられた嵌合部４５に接触してその嵌合部４５との電気的接続状態におかれることになる。その結果、リセプタクルコネクタ１１が面１２ａに取り付けられた配線基板１２とプラグコネクタ４１が面４２ａに取り付けられた配線基板４２とが、リセプタクルコネクタ１１及びプラグコネクタ４１を介して、電気的に相互連結された状態におかれる。
【００４６】
また、リセプタクルコネクタ１１にプラグコネクタ４１が嵌合連結されたもとにあっては、開口部１４にプラグコネクタ４１のハウジング４３に設けられた嵌合部４５が挿入された可動ハウジング１５における突出部３１が、リセプタクルコネクタ１１の固定ハウジング１３における第１の側壁部２０，第２の側壁部２１，第１の連結部２２Ａ及び第２の連結部２２Ｂが形成する枠状体の内側において移動可能とされている。リセプタクルコネクタ１１の固定ハウジング１３における第１の側壁部２０及び第２の側壁部２１の夫々の長手方向、即ち、固定ハウジング１３の長手方向について観察すると、図１２におけるXIV-XIV 線断面を示す図１４に示されるように、可動ハウジング１５における図１４において左側となる突出部３１の外面部と、固定ハウジング１３における第１の連結部２２Ａ及びそれに隣接する第１の固定金具１８Ａの板状部２４の夫々の内面部との間に空隙５０が形成されており、また、可動ハウジング１５における図１４において右側となる突出部３１の外面部と、固定ハウジング１３における第２の連結部２２Ｂ及びそれに隣接する第２の固定金具１８Ｂの板状部２４の夫々の内面部との間に空隙５１が形成されている。それにより、可動ハウジング１５における突出部３１は、リセプタクルコネクタ１１の固定ハウジング１３における第１の側壁部２０，第２の側壁部２１，第１の連結部２２Ａ及び第２の連結部２２Ｂが形成する枠状体の内側において、固定ハウジング１３における第１の側壁部２０及び第２の側壁部２１の夫々の長手方向に沿って移動することができることになる。
【００４７】
斯かるもとで、例えば、可動ハウジング１５に設けられた開口部１４にプラグコネクタ４１の嵌合部４５が挿入されたことに伴って、固定ハウジング１３における第１の側壁部２０，第２の側壁部２１，第１の連結部２２Ａ及び第２の連結部２２Ｂが形成する枠状体の内側において、可動ハウジング１５の突出部３１が固定ハウジング１３の第１の側壁部２０及び第２の側壁部２１の夫々の長手方向に沿う方向の変位を生じたときには、第１の取付金具１８Ａの板状部２４あるいは第２の取付金具１８Ｂの板状部２４が、その内面部において可動ハウジング１５の突出部３１の外面部の当接を直接的に受けて、可動ハウジング１５の突出部３１の変位を規制するものとされる。即ち、可動ハウジング１５の突出部３１が、固定ハウジング１３の第１の側壁部２０及び第２の側壁部２１の夫々の長手方向に沿う方向において図１４に示される空隙５０を無くすように変位した場合には、第１の取付金具１８Ａの板状部２４が、その内面部において可動ハウジング１５の突出部３１における図１４において左側となる外面部の当接を直接的に受けて、可動ハウジング１５の突出部３１の変位を規制し、また、可動ハウジング１５の突出部３１が、固定ハウジング１３の第１の側壁部２０及び第２の側壁部２１の夫々の長手方向に沿う方向において図１４に示される空隙５１を無くすように変位した場合には、第２の取付金具１８Ｂの板状部２４が、その内面部において可動ハウジング１５の突出部３１における図１４において右側となる外面部の当接を直接的に受けて、可動ハウジング１５の突出部３１の変位を規制するのである。
【００４８】
図１５は、図８に示される固定ハウジング３３と第１の取付金具３４Ａ及び第２の取付金具３４Ｂとを備えたリセプタクルコネクタ１１に、図９に示されるプラグコネクタ４１が嵌合連結された状態を示す。ただし、図１５においては、プラグコネクタ４１が取り付けられた配線基板４２の図示が省略されている。
【００４９】
図１５に示されるように図８に示される固定ハウジング３３と第１の取付金具３４Ａ及び第２の取付金具３４Ｂとを備えたリセプタクルコネクタ１１にプラグコネクタ４１が嵌合連結されたもとにおいても、プラグコネクタ４１のハウジング４３に設けられた嵌合部４５が、リセプタクルコネクタ１１における複数の弾性コンタクト１７によって、リセプタクルコネクタ１１の固定ハウジング３３に対して揺動可能に支持されたリセプタクルコネクタ１１の可動ハウジング１５に設けられた開口部１４に挿入される状態，プラグコネクタ４１のハウジング４３に設けられた嵌合部４５が挿入されたリセプタクルコネクタ１１の可動ハウジング１５に設けられた開口部１４内において、プラグコネクタ４１のハウジング４３に設けられた嵌合部４５に配列配置された複数の弾性コンタクト４７の夫々における可動接続部４７ｂが、リセプタクルコネクタ１１に配列配置された複数の弾性コンタクト１７の夫々における可動ハウジング１５の本体部３０から突出して開口部１４を形成する突出部３１に固定された接触接続部１７ｂに接触接続される状態、さらには、開口部１４にプラグコネクタ４１のハウジング４３に設けられた嵌合部４５が挿入された可動ハウジング１５における突出部３１が、リセプタクルコネクタ１１の固定ハウジング３３における第１の側壁部２０，第２の側壁部２１，第１の連結部２２Ａ及び第２の連結部２２Ｂが形成する枠状体の内側において移動可能とされる状態が、図４に示される固定ハウジング１３と第１の取付金具２２Ａ及び第２の取付金具２２Ｂとを備えたリセプタクルコネクタ１１にプラグコネクタ４１が嵌合連結された場合と同様にして得られる。
【００５０】
その結果、図８に示される固定ハウジング３３と第１の取付金具３４Ａ及び第２の取付金具３４Ｂとを備えたリセプタクルコネクタ１１にプラグコネクタ４１が嵌合連結されたもとにおいても、リセプタクルコネクタ１１の固定ハウジング３３における第１の側壁部２０，第２の側壁部２１，第１の連結部２２Ａ及び第２の連結部２２Ｂが形成する枠状体の内側において、可動ハウジング１５の突出部３１が固定ハウジング３３の第１の側壁部２０及び第２の側壁部２１の夫々の長手方向に沿う方向の変位を生じたときには、第１の取付金具３４Ａの板状部２４あるいは第２の取付金具３４Ｂの板状部２４が、その内面部において可動ハウジング１５の突出部３１の外面部の当接を直接的に受けて、可動ハウジング１５の突出部３１の変位を規制するものとされる。その際、第１の取付金具３４Ａにそれにおける板状部２４から伸びる付加腕状部３６が設けられていて、その付加腕状部３６が固定ハウジング３３の第１の連結部２２Ａに設けられた溝部３５Ａに圧入されており、また、第２の取付金具３４Ｂにそれにおける板状部２４から伸びる付加腕状部３６が設けられていて、その付加腕状部３６が固定ハウジング３３の第２の連結部２２Ｂに設けられた溝部３５Ｂに圧入されているので、第１の取付金具３４Ａの板状部２４及び第２の取付金具３４Ａの板状部２４の夫々は、その内面部において可動ハウジング１５の突出部３１の外面部の当接を直接的に受ける際の衝撃に対する耐力が増大せしめられていることになる。
【００５１】
上述のような本願発明に係るコネクタ装置の一例を構成するリセプタクルコネクタ１１にあっては、第１の取付金具１８Ａ／３４Ａが固定ハウジング１３／３３の第１の側壁部２０及び第２の側壁部２１の夫々の長手方向の一端に係合して配されるとともに、第２の取付金具１８Ｂ／３４Ｂが固定ハウジング１３／３３の第１の側壁部２０及び第２の側壁部２１の夫々の長手方向の他端に係合して配されたもとにおいて、第１の取付金具１８Ａ／３４Ａ及び第２の取付金具１８Ｂ／３４Ｂの夫々が、固定ハウジング１３／３３の第１の側壁部２０及び第２の側壁部２１の夫々の長手方向の一端もしくは他端を直接的に相互連結して固定ハウジング１３／３３が成す枠状体の内側に臨む板状部２４を有していて、固定ハウジング１３／３３が成す枠状体の内側において、可動ハウジング１５の突出部３１が固定ハウジング１３／３３の第１の側壁部２０及び第２の側壁部２１の夫々の長手方向に沿う方向の変位を生じたときには、第１の取付金具１８Ａ／３４Ａ及び第２の取付金具１８Ｂ／３４Ｂの夫々の板状部２４が、可動ハウジング１５の突出部３１の当接を直接的に受けて可動ハウジング１５の突出部３１の変位を規制するものとされる。
【００５２】
それゆえ、固定ハウジング１３／３３が成す枠状体の内側における可動ハウジング１５の突出部３１の固定ハウジング１３／３３の第１の側壁部２０及び第２の側壁部２１の夫々の長手方向に沿う方向の変位を規制するにあたり、固定ハウジング１３／３３に、その第１の側壁部２０及び第２の側壁部２１の夫々の長手方向の一端及び他端において相互対向するものとして夫々配されて、可動ハウジング１５の突出部３１の当接を受けて可動ハウジング１５の突出部３１の変位を規制するための部分を設けることが要されず、斯かる固定ハウジング１３／３３の部分より厚み寸法が小である第１の取付金具１８Ａ／３４Ａ及び第２の取付金具１８Ｂ／３４Ｂの夫々の板状部２４を配することで足り、それに伴って、固定ハウジン１３／３３におけるその第１の側壁部２０及び第２の側壁部２１の夫々の長手方向における寸法を短縮することができる。このような固定ハウジン１３／３３におけるその第１の側壁部２０及び第２の側壁部２１の夫々の長手方向における寸法の短縮は、斯かる固定ハウジング１３／３３を備えたコネクタ装置１１の全体のその長手方向の寸法の低減をもたらし、コネクタ装置１１の全体についての小型化、取り分け、全体の長手方向における小型化を効果的に図ることができることになる。
【００５３】
さらに、固定ハウジング１３／３３の第１の側壁部２０及び第２の側壁部２１の夫々の長手方向に沿う方向において、固定ハウジング１３／３３の第１の連結部２２Ａと第１の取付金具１８Ａ／３４Ａの板状部２４とが各々の厚み方向に重なって隣接配置されることがなく、また、固定ハウジング１３／３３の第２の連結部２２Ｂと第２の取付金具１８Ｂ／３４Ｂの板状部２４とが各々の厚み方向に重なって隣接配置されることがないものとされるので、コネクタ装置１１の全体についての小型化、取り分け、全体の長手方向における小型化を、より一層効果的に図ることができることになる。
【産業上の利用可能性】
【００５４】
以上のような本願発明に係るコネクタ装置は、配線基板に配される固定ハウジングと、相手方コネクタ装置が挿入される開口部を有し、固定ハウジングに対して揺動可能とされた可動ハウジングと、各々が固定ハウジング及び可動ハウジングの双方に係合して、可動ハウジングを固定ハウジングに対して揺動可能に支持する複数の弾性コンタクトと、固定ハウジングの配線基板への取付けに供される取付金具とを備えて、フローティング型を成すものとして構成され、その全体についての小型化、取り分け、全体の長手方向における小型化を効果的に図ることができるものとして、様々な電子機器等に広く適用され得るものである。
【符号の説明】
【００５５】
１1 ・・・リセプタクルコネクタ，  １２・・・配線基板（第１の配線基板），１３，３３・・・固定ハウジング，  １４・・・開口部，  １５・・・可動ハウジング，  １７，４７・・・弾性コンタクト，  １８Ａ，３４Ａ，４４Ａ・・・第１の取付金具，  １８Ｂ，３４Ｂ，４４Ｂ・・・第２の取付金具，  ２０・・・第１の側壁部，  ２１・・・第２の側壁部，  ２２Ａ・・・第１の連結部，  ２２Ｂ・・・第２の連結部，  ２３，３２，３５Ａ，３５Ｂ，４６・・・溝部，  ２４・・・板状部，  ２５・・・腕状部，  ３０・・・本体部，  ３１・・・突出部，  ３６・・・附加腕状部，  ４１・・・プラグコネクタ，  ４２・・・配線基板（第２の配線基板），  ４３・・・ハウジング，  ４５・・・嵌合部
【図１】
2020027750.tif 000003
【図２】
2020027750.tif 000004
【図３】
2020027750.tif 000005
【図４】
2020027750.tif 000006
【図５】
2020027750.tif 000007
【図６】
2020027750.tif 000008
【図７】
2020027750.tif 000009
【図８】
2020027750.tif 000010
【図９】
2020027750.tif 000011
【図１０】
2020027750.tif 000012
【図１１】
2020027750.tif 000013
【図１２】
2020027750.tif 000014
【図１３】
2020027750.tif 000015
【図１４】
2020027750.tif 000016
【図１５】
2020027750.tif 000017